(57)【要約】【課題】パチンコ機等の遊技機で遊技する遊技者近辺及び隣席の喫煙や呼気によるタバコの煙・酒気・口臭等の悪臭を積極的に吸引し，遊技者に不快感を与えない様にし、紙フィルターを吸引口に、オゾン発生部を吸引口近くに設ける事によって装置内のタバコの煙等の汚れを防止すると共に臭気物質とオゾンを完全混合して上方に放出する事により遊技場内の脱臭及び防汚を行い、遊技者が快適に遊技できるようにする。【解決手段】遊技機等の横に遊技機とは別の縦長の風洞を設け風洞内部に設けた遠心ブロアーにより，遊技機等の横に位置する吸引口より汚染空気を吸引し，風洞内部の吸引口後方に設けたオゾン発生部より発生するオゾンガスと吸引された汚染空気を混合して風洞上方の排出口より上方に向けて放出する事を特徴とする汚染空気吸引清浄装置の幅を２５ｍｍ以上８０ｍｍ以下の範囲に限定する事であり，更に高さを８３０ｍｍ以下の範囲に設定する事である。  【選択図】図６
2006340924.tif 000002
【特許請求の範囲】
【請求項１】
パチンコ機あるいはスロット機など（以後遊技機等と称する）の横に遊技機等とは別の縦長の風洞を設け，該風洞内部に遠心ブロアーによる吸引機構を設け遊技機等の横に位置する吸引口より周囲の臭気等の汚染空気を吸引し，風洞内部の吸引口後方に設けたオゾン発生部より発生するオゾンガスと吸引された汚染空気を混合して風洞上方の排出口より上方に向けて放出することを特徴とする汚染空気吸引清浄装置において，その幅が２５ｍｍ以上７０ｍｍ以下であることを特徴する汚染空気吸引清浄装置。
【請求項２】
高さが８３０ｍｍ未満であることを特徴とする請求項１に記載の汚染空気吸引清浄装置。
【発明の詳細な説明】
【技術分野】
【０００１】
本発明はパチンコホール等の遊技場（以後遊技場等と称する）内において，パチンコ機あるいはスロット機などの遊技機（以後遊技機等と称する）による遊技中に隣席等の遊技者の喫煙や呼気によるタバコの煙・酒気・口臭等の悪臭による遊技環境悪化を改善するための汚染空気吸引清浄装置に関するものである。
【背景技術】
【０００２】
遊技場等においては，遊技機械（以後遊技機と称する．）は多数が隣接されて直線的に設置され，それを背中合わせにして２列を平行に設置し（この一群を島と遊技業界では呼んでいる．以後島と称する．），その島が平行に何列か設置されている（その遊技場の規模によって異なる．また，遊技場のデザインによって若干異なる場合があるが，おおむね同様に構成される．）遊技者はその島と島の間でそれぞれ遊技機に向かっており，背中合わせで遊技機に向かっている各遊技者の間が通路になっている．このような過密な状況で，遊技者による喫煙あるいは飲酒後の遊技者による酒気等によりこの狭い遊技空間の空気環境は劣悪となる．その空間全体の空気汚染もさることながら，隣の遊技者から直接拡散してくるタバコの煙や酒気あるいは口臭は遊技者にとって特に耐え難い環境を生み出している。
【０００３】
遊技場等全体の空気に対しては，天井や壁際に換気装置や空気清浄機等の設備は備え付けてある．しかし天井あるいは壁際に位置するため，その付近の空気の換気や浄化には効果が見られるが，島と島の間の遊技空間における各遊技者の周りの空気環境は改善することができない．ある意味では遊技者そのものが空気の汚染源となりうるので，遊技者すなわち汚染源の近くで直接汚染空気を取り除かなければ，他の遊技者が感じる不快感を改善することは出来ない。
【０００４】
島の上部（遊技機等の上）あるいは壁際に設置する様な小型のイオン発生器やオゾン発生器も販売されているが，遊技者の近くの空気に作用しないので遊技空間で効果があまり感じられない．島の上部に強力な吸引装置を設置する光触媒消臭装置も販売されているが，遊技者から遠い位置に設置される為に明確な効果が現れないことや，更に価格が高い構成であるため普及していない。
【０００５】
遊技機の下方に設置される吸い殻回収システムがありそのシステムにはオゾン脱臭機能が付加されたものもあるが，タバコの吸い殻の回収が目的であるためタバコの煙が拡散しないように積極的に周囲の汚染空気を吸引するものではない
【０００６】
一方，特開平１０−７１２６３に示されたパチンコ機喫煙遮断用エアカーテン装置は，パチンコ機の横に細い風洞を設け，縦長の風洞から風を吹き出しエアカーテンとすることで，隣の遊技者から放出されるタバコの煙を遮ろうと言う発想である．また，エアカーテンに芳香あるいはオゾンを混合して放出する．しかしこの方式であれば隣り合う遊技者どうしの汚染空気による干渉は減少するが，放出された汚染空気はエアカーテンの気流に乗って後方の通路に移動するのみである．更に後方には別の島の遊技機に向かう遊技者が背中を向けて座っている．後方の遊技者にとっては，その後方から汚染空気が送られてくるので空気環境の悪化が生じる．また，通路を歩いて遊技機を物色する遊技者や遊技場の管理者にとっても非常に劣悪な環境を形成してしまう．特開平１０−７１２６３に示されているように，たとえエアカーテンに芳香やオゾンを含ませてもその様な風が通行中に断続的に体に当たることは通行者には好まれない．芳香は嗜好的な要素が強く通行者や遊技者によって好みが異なるため，あるいは悪臭と混合して更に不快な臭気に変化するため，かえって空気環境改善にはなり得ない．更にオゾンが含まれる場合，オゾンと悪臭が反応するにはある程度時間を要するので，オゾンと悪臭の混合ガスが吹き出されることになり，更に不快な状況が形成される．このような状況によりこの特開平１０−７１２６３の発明は実用化されていない。
【特許文献１】特開平１０−７１２６３
【発明の開示】
【発明が解決しようとする課題】
【０００７】
遊技場等においては，遊技機は多数が隣接されて直線的に設置され，それを背中合わせにして２列を平行に設置された島が平行に数列設置されている．遊技者はその島と島の間でそれぞれ遊技機に向かっており，背中合わせで遊技機に向かっている各遊技者の間が通路になっている．このような過密な状況で，遊技者による喫煙あるいは飲酒後の遊技者による酒気等によりこの狭い遊技空間の空気環境は劣悪である．その空間全体の汚染もさることながら，隣の遊技者から放出されるタバコの煙や酒気あるいは口臭は遊技者にとって特に耐え難い環境を生み出している．例えば空気汚染物質としてタバコの煙成分を例にとって見る．タバコの煙は，タバコの葉成分や紙巻きタバコの紙成分が燃焼の際に発生する燃焼ガス，部分酸化物及び熱分解成分からなり，それらの非凝縮性物，蒸気（揮発生物），液状粒子（コロイド）などがガスとタール粒子という形で空気中に放出される．タバコの煙の臭気には，このタバコ煙粒子が重要な因子で，タール状の微粒子に収着した物質が空気中に蒸・発散，揮散することで不快な臭気がもたらされる．微細なタール粒子は空気中を滞留し，衣服などや室内の壁面や天井，床面ならびに窓などのあらゆる場所に沈着，付着し，タールの粒子の収着物は揮発度の大きいものから徐々に空気中に揮散するが，その揮発，蒸散が長期間続き，そのにおいは，特有の「焦げ臭」を伴った刺激性があり，喫煙者ですら好ましく感じられないことも多く，「タバコのヤニ臭」と呼ばれるものである．通常，１本の紙巻きタバコから生じるタールの量は１０〜４０ｍｇで，一般的な紙巻きタバコの煙成分の構成は，煙の６０％が気体成分（Ｎ２：７３％，ＣＯ：１０％，ＣＯ２：４．２％，Ｈ２：１％，Ａｒ：０．６％，ＣＨ４：０．６％，その他の約４０種：１．１％）で，ＣＯやＮＯｘ濃度は産業安全基準や大気汚染基準に比べて非常に高い汚染濃度となっている（月間地球環境誌ｐ６６，１２月号，１９９８年）．このように，タール成分による臭気のみ成らず，大気汚染基準を上回るガスが含まれることは大問題である．喫煙する人の人数によって甚だしい事態に成ることは明らかである。
【０００８】
従来の技術は遊技場全体の空気を天井あるいは壁際から平均的に換気あるいは浄化するように設計されているため，密に詰まった島と島の間の狭い遊技環境の汚染空気を換気し浄化することが出来ない．従って，少なくとも遊技空間の劣悪な空気環境を改善するためには，この様な汚染空気の淀みを解消する必用がある．更に，各遊技者への配慮という観点から集中的で大規模な装置で島と島の間の遊技空間ごとに大型の空気の吸引手段あるいは撹拌手段を設けるのではなく，遊技者の近くで発生した汚染空気の淀みを遊技者に気を使わせることなく解消する必用がある．また，この淀みを解消するだけでは汚染空気を他の場所に拡散あるいは移動させるだけにすぎず遊技場全体の環境改善には成り得ないため，汚染物質を浄化する手段が必要である。
【課題を解決するための手段】
【０００９】
上記課題を解決するため，遊技機等の横に遊技機等とは別の縦長の風洞を設け，該風洞内部に遠心ブロアーによる吸引機構を設け，遊技機等の横に位置する吸引口より汚染空気を吸引し，風洞内部の吸引口後方に設けたオゾン発生部より発生するオゾンガスと吸引された汚染空気を混合して風洞上方の排出口より上方に向けて放出することを特徴とする汚染空気吸引清浄装置を形成し，しかもその装置の厚さを２５ｍｍ以上７０ｍｍ以下の範囲とすることである．また，さらに高さを８３０ｍｍ未満とすることである。
【発明の効果】
【００１０】
本発明の汚染空気吸引清浄装置を実際に遊戯場に設置することによって，遊技空間の汚染空気はその汚染源の近くで吸引され，装置内のオゾンとの強力混合によって島の上方に放出される．このことから遊技空間の空気環境の改善が行われることができる．更に，本システムのオゾンとの強力混合によって汚染空気は浄化反応（化学反応）しながら遊技空間から島の上方へ向かって流れ，その結果オゾンは遊技場全体に拡散すると同時に遊技場内の汚染を浄化する。
【発明を実施するための最良の形態】
【００１１】
縦長の風洞を設け，該風洞内部に遠心ブロアーによる吸引機構を設け，遊技機等の横に位置する縦長の吸引口より汚染空気を吸引し，風洞内部の吸引口後方に設けたオゾン発生部より発生するオゾンガスと吸引された汚染空気を混合して風洞上方の排出口より上方に向けて放出する形態とし，しかもその装置の厚さを２５ｍｍ以上７０ｍｍ以下の範囲に限定することである．更に，高さを８３０ｍｍ未満とする。
【実施例１】
【００１２】
実施例１を，図面を参照して説明する．図１は本発明の汚染空気吸引清浄装置の正面図であり図２はその斜視図である．図３は機能説明のための本発明の構成模式図である．本発明の汚染空気吸引清浄装置は，その効果を発揮するために，遊技機等の間の狭い空間に設置するのが特徴である為，図１と図２に示すように装置としての厚さは非常に薄く，今回は３０ｍｍないし４５ｍｍの範囲に限定して作製した．本実施例１は，吸引チャンバー（５）の部分を除いて横幅が３０ｍｍである．図２において吸引チャンバー（５）は風洞正面から８０ｍｍ後方に位置し，その部分の横幅もわずか４５ｍｍである．高さは遊技装置の規格に合わせることができるが，本実施例では８１０ｍｍであり，奥行きは最大で１９０ｍｍである．図３に示すように，遊技機等の正面パネルとほぼ同一平面に位置する本実施例の汚染空気吸引清浄装置の正面パネル（２）の裏側にはフィルター（１４）を挿入するようにフィルターホルダー（１５）が取り付けてある．汚染空気は，正面パネル（２）に加工されている吸引スリット（３）からフィルター（１４）を通して吸引され，フィルター（１４）の直後に設置されたオゾン発生体（１３）から発生するオゾンと共に風洞（４）を通って，遠心ブロアー（１２）によって減圧状態となった吸引チャンバー（５）に導かれる．その後，オゾンと汚染空気の混合ガスは遠心ブロアー（１２）により強力な遠心力を加えられ撹拌混合され，吹き出しチャンバー（６）を通って正面パネル（２）の吹き出しスリット（１）を通って上向きに放出される。
【実施例２】
【００１３】
実施例２を図面を参照して説明する．図４は，本発明の汚染空気吸引清浄装置の実施例２の正面図であり，図５はその斜視図である．実施例２の内部の構成は実施例１の構成図３とほぼ同様な構成である．実施例２は，実施例１に見られる吸引チャンバー図２の(５)のような凸部のない形態である．実施例２の寸法は，幅が４０ｍｍ，高さが８１０ｍｍで奥行きは最大で２１０ｍｍである．機能面は，実施例１と変わりはない。
【００１４】
実施例１と実施例２の違いは，遊技機等の設置されている島の枠構造による．本発明を適用する場所に支柱がある場合は実施例１の様な形態のものを適用し，そうではない場合は実施例２を適用する．また，今回は実施例１においてその幅はフロントパネル面が３０ｍｍ，吸引チャンバー部が４５ｍｍ，一方実施例２ではその幅は４０ｍｍに設定されている．本発明の請求項１の幅の規定の下限値２５ｍｍ以上は，これ以上幅を狭くすることによって汚染空気の吸引量が制限されるからである．一方，上限値の８０ｍｍ以下については，遊戯場における遊技機の設置台数とスペースの兼ね合いである．遊技機の幅は，台間サンド機(現金投入機)を含めて５２０ｍｍから５６５ｍｍ程度である．例えば，５６５ｍｍの遊技機を２０台横に並べて設置するとすれば本発明品も１９台ないし２０台導入できる．その場合，２５ｍｍ以上８０ｍｍ以下であれば遊技機１台から３台分に相当するスペースを確保することによって，１９台から２０台の本発明品を設置することができる．一方，８０ｍｍを超えると本発明品の占有スペースが遊技機の４台分以上となる。
【００１５】
この２０台が通常１列に配置され，この１組を背中合わせに２列を配置し，この２列で島と呼んでいる．此島が遊戯場に何島あるかによって遊戯場の規模が決定される．上述の計算であれば，８０ｍｍ以下に設定した場合，１つの島当たり６台分の遊技機の設置スペースが犠牲になるが，そのスペースは隣り合う遊技者同士のスペースを考慮すると適当である。
【００１６】
一方，８０ｍｍを超えるものを設置する場合，遊技機８台以上設置スペースを占有することとなり，島の数をｎ島とすれば８ｎ台分のスペースが無駄になる．この場合遊技者１人当たりのスペースも広くなるが遊戯場全体の無駄な空間を考慮すると，遊戯場の営業効率を阻害することになるため，汚染空気吸引清浄装置の幅８０ｍｍ以上に設定することは適切ではない。
【００１７】
請求項２において，汚染空気給金清浄装置の高さを８３０ｍｍ以下に設定するのは，遊技機設置場所の寸法と遊技機の寸法を考慮すると８３０ｍｍ以下に設定するのがよい。
【００１８】
図６は，本発明の汚染空気吸引清浄装置を実際に設置した状態の模式図である．遊技機（１９）の両横には，遊技機を開始させるための現金ないしはプリペイドカードを投入する装置と，島を支える支柱（１７）が存在する．支柱（１７）と遊技機（１９）の間の空間に本発明の実施例１を設置する．このように，遊技機が本発明の汚染空気吸引清浄装置でサンドイッチされた形態，すなわち本発明の汚染空気吸引清浄システムを島に組み込むことにより，上述の遊技環境の汚染を解消できる。
【産業上の利用可能性】
【００１９】
本発明の空気吸引清浄装置の幅を２５ｍｍ以上７０ｍｍ以下の範囲に設定し，高さを８３０ｍｍ以下と規定することにより，遊技場の営業効率を損なうことなく，遊技者には快適な空間の広さと快適な空気環境を提供することができる。
【図面の簡単な説明】
【００２０】
【図１】実施例１の正面図である。
【図２】実施例１の斜視図である。
【図３】汚染空気吸引清浄装置の機能説明のための構成模式図である。
【図４】実施例２の正面図である。
【図５】実施例２の斜視図。
【図６】汚染空気吸引清浄装置を実際に設置した状態の模式図である。
【符号の説明】
【００２１】
１  吹き出しスリット
２  正面パネル
３  吸引スリット
４  風洞
５  吸引チャンバー
６  吹き出しチャンバー
７  制御部
８  固定金具Ａ
９  固定金具Ｂ
１０  電源配線
１１  制御回路
１２  遠心ブロアー
１３  オゾン発生体
１４  フィルター
１５  フィルターホルダー
１６  汚染空気吸引清浄装置
１７  支柱
１８  遊技機を開始させるための現金ないしはプリペイドカードを投入する装置
１９  遊技機
【図１】
2006340924.tif 000003
【図２】
2006340924.tif 000004
【図３】
2006340924.tif 000005
【図４】
2006340924.tif 000006
【図５】
2006340924.tif 000007
【図６】
2006340924.tif 000008